(57)【特許請求の範囲】
【請求項１】
搬入された物品を設定仕分け情報に基づいて複数のグループに仕分ける物品仕分け設備を他人に利用させたい設備提供者の登録を受け付ける旨をＷｅｂ閲覧ソフトにて閲覧可能な形式で記述した設備提供者募集用閲覧ファイル、又は、前記物品仕分け設備の利用を希望する設備利用希望者の登録を受け付ける旨をＷｅｂ閲覧ソフトにて閲覧可能な形式で記述した設備利用者募集用閲覧ファイルの少なくとも一方を記憶すると共に、クライアントコンピュータからの閲覧要求に応じて前記設備提供者募集用閲覧ファイル又は前記設備利用者募集用閲覧ファイルを送信するサーバーコンピュータが設けられ、
前記サーバーコンピュータは、Ｗｅｂサーバーとデータベースサーバーとを備えて構成され、
前記設備提供者募集用閲覧ファイルは、前記設備提供者が提示する前記データベースサーバーに登録する前記物品仕分け設備の貸与条件を入力するための貸与条件入力用フォーマットを有するように構成され、且つ、前記設備利用者募集用閲覧ファイルは、前記データベースサーバーに登録する前記物品仕分け設備の借用条件を入力するための借用条件入力用フォーマットを有するように構成され、
前記設備提供者募集用閲覧ファイルの前記貸与条件入力用フォーマット、又は、前記設備利用者募集用閲覧ファイルの前記借用条件入力用フォーマットが、夫々、複数の貸与条件、又は、複数の借用条件を順序を付けた状態で入力可能に構成され、
前記設備利用者募集用閲覧ファイルは、前記貸与条件入力用フォーマットに入力されて前記サーバーコンピュータに送信された前記貸与条件に関する情報が記述されて構成され、
前記サーバーコンピュータは、入力された前記貸与条件又は前記借用条件に適合する前記借用条件又は前記貸与条件を夫々検索すると共に、前記複数の貸与条件又は前記複数の借用条件を設定期間経過毎に更新し、その更新に伴って、前記貸与条件又は前記借用条件に適合する前記借用条件又は前記貸与条件を夫々検索するように構成されている物品仕分け設備利用促進システム。
【請求項２】
搬入された物品を設定仕分け情報に基づいて複数のグループに仕分ける物品仕分け設備を他人に利用させたい設備提供者の登録を受け付ける旨をＷｅｂ閲覧ソフトにて閲覧可能な形式で記述した設備提供者募集用閲覧ファイル、又は、前記物品仕分け設備の利用を希望する設備利用希望者の登録を受け付ける旨をＷｅｂ閲覧ソフトにて閲覧可能な形式で記述した設備利用者募集用閲覧ファイルの少なくとも一方を記憶すると共に、クライアントコンピュータからの閲覧要求に応じて前記設備提供者募集用閲覧ファイル又は前記設備利用者募集用閲覧ファイルを送信するサーバーコンピュータが設けられ、
前記サーバーコンピュータは、Ｗｅｂサーバーとデータベースサーバーとを備えて構成され、
前記設備提供者募集用閲覧ファイルは、前記データベースサーバーに登録する前記物品仕分け設備の貸与条件を入力するための貸与条件入力用フォーマットを有するように構成され、且つ、前記設備利用者募集用閲覧ファイルは、前記設備利用希望者が提示する前記データベースサーバーに登録する前記物品仕分け設備の借用条件を入力するための借用条件入力用フォーマットを有するように構成され、
前記設備提供者募集用閲覧ファイルの前記貸与条件入力用フォーマット、又は、前記設備利用者募集用閲覧ファイルの前記借用条件入力用フォーマットが、夫々、複数の貸与条件、又は、複数の借用条件を順序を付けた状態で入力可能に構成され、
前記設備提供者募集用閲覧ファイルは、前記借用条件入力用フォーマットに入力されて前記サーバーコンピュータに送信された前記借用条件に関する情報が記述されて構成され、
前記サーバーコンピュータは、入力された前記貸与条件又は前記借用条件に適合する前記借用条件又は前記貸与条件を夫々検索すると共に、前記複数の貸与条件又は前記複数の借用条件を設定期間経過毎に更新し、その更新に伴って、前記貸与条件又は前記借用条件に適合する前記借用条件又は前記貸与条件を夫々検索するように構成されている物品仕分け設備利用促進システム。
【請求項３】
前記設備利用者募集用閲覧ファイル又は前記設備提供者募集用閲覧ファイルには、夫々、前記貸与条件入力用フォーマットに入力された前記貸与条件の情報から前記設備提供者を特定する情報を除いた情報、又は、前記借用条件入力用フォーマットに入力された前記借用条件の情報から前記設備利用希望者を特定する情報を除いた情報が記述されて構成されている請求項１又は２記載の物品仕分け設備利用促進システム。
【請求項４】
前記サーバーコンピュータに、前記設備利用者募集用閲覧ファイルに前記貸与条件に関する情報が記述される前記設備提供者を特定する情報のリストを前記貸与条件に関する情報との対応を付けないで記述し且つ記述された設備提供者の何れかを選択入力するフォーマットを記述した設備提供者リストファイル、又は、前記設備提供者募集用閲覧ファイルに前記借用条件に関する情報が記述される前記設備利用希望者を特定する情報のリストを前記借用条件に関する情報と対応を付けないで記述し且つ記述された設備利用希望者の何れかを選択入力するフォーマットを記述した設備利用希望者リストファイルが作成され、
前記サーバーコンピュータは、クライアントコンピュータからの閲覧要求に応じて、前記設備提供者リストファイル又は前記設備利用希望者リストファイルを送信するように構成されている請求項３記載の物品仕分け設備利用促進システム。
【発明の詳細な説明】
【０００１】
【発明の属する技術分野】
本発明は、搬入された物品を設定仕分け情報に基づいて複数のグループに仕分ける物品仕分け設備の利用を促進するためのシステムに関する。
物品仕分け設備は、グループ分けの条件である設定仕分け情報に基づいて、搬入された物品を複数のグループの何れかに振り分けるための設備であり、例えば、物品の送り先を設定仕分け情報として、運送業者の貨物の集配センターや大型小売業者の配送センター等において利用されている。
物品仕分け設備の具体的な態様としては、コンベア等の搬送手段の搬送経路の途中箇所に、分岐コンベア等により構成させる分岐搬送経路を複数接続し、搬送手段の搬送経路に搬入された物品を前記設定仕分け情報に基づいて各分岐搬送経路の何れかに振り分ける形式の設備の他に、搬入された物品を種類別に棚等に保管し、納入先等を示す前記設定仕分け情報に基づいてピッキングカートのような搬送車によって複数種類の物品を各棚から収集する、いわゆるピッキング設備も含まれる。
【０００２】
【従来の技術】
従来、このような物品仕分け設備は、設備を使用する業者が自己の専用の設備として導入するのが一般的であった。
【０００３】
【発明が解決しようとする課題】
しかしながら、物品仕分け設備の実際の利用態様は、例えば、運送業者の場合では、荷物の集配時間が決められているために特定の時間帯に仕分け処理が集中して、他の時間帯では物品仕分け設備が有効に活用されない、また、大型小売り業者の場合では、お中元やお歳暮の季節に仕分け処理が集中し、他の季節ではそれほど物品仕分け設備が活用されない、というような状況が生じることが少なくない。
従って、事業の性質上、物品仕分け設備の導入は必須でありながら、導入した物品仕分け設備の利用効率は必ずしも十分には高くない場合がある。
本発明は、かかる実情に鑑みてなされたものであって、その目的は、物品仕分け設備の利用を促進して、利用効率を可及的に向上できるシステムを提供する点にある。
【０００４】
【課題を解決するための手段】
上記請求項１記載の構成を備えることにより、搬入された物品を設定仕分け情報に基づいて複数のグループに仕分ける物品仕分け設備を他人に利用させたい設備提供者の登録を受け付ける旨をＷｅｂ閲覧ソフトにて閲覧可能な形式で記述した設備提供者募集用閲覧ファイル、又は、前記物品仕分け設備の利用を希望する設備利用希望者の登録を受け付ける旨をＷｅｂ閲覧ソフトにて閲覧可能な形式で記述した設備利用者募集用閲覧ファイルの少なくとも一方を記憶すると共に、クライアントコンピュータからの閲覧要求に応じて前記設備提供者募集用閲覧ファイル又は前記設備利用者募集用閲覧ファイルを送信するサーバーコンピュータが設けられ、前記サーバーコンピュータは、Ｗｅｂサーバーとデータベースサーバーとを備えて構成され、前記設備提供者募集用閲覧ファイルは、前記データベースサーバーに登録する前記設備提供者が提示する前記物品仕分け設備の貸与条件を入力するための貸与条件入力用フォーマットを有するように構成され、且つ、前記設備利用者募集用閲覧ファイルは、前記データベースサーバーに登録する前記物品仕分け設備の借用条件を入力するための借用条件入力用フォーマットを有するように構成され、前記設備提供者募集用閲覧ファイルの前記貸与条件入力用フォーマット、又は、前記設備利用者募集用閲覧ファイルの前記借用条件入力用フォーマットが、夫々、複数の貸与条件、又は、複数の借用条件を順序を付けた状態で入力可能に構成され、前記設備利用者募集用閲覧ファイルは、前記貸与条件入力用フォーマットに入力されて前記サーバーコンピュータに送信された前記貸与条件に関する情報が記述されて構成され、前記サーバーコンピュータは、入力された前記貸与条件又は前記借用条件に適合する前記借用条件又は前記貸与条件を夫々検索すると共に、前記複数の貸与条件又は前記複数の借用条件を設定期間経過毎に更新し、その更新に伴って、前記貸与条件又は前記借用条件に適合する前記借用条件又は前記貸与条件を夫々検索するように構成されて物品仕分け設備利用促進システムが構成される。
【０００５】
従って、自己の物品仕分け設備を他人に利用させたい設備提供者や、あるいは、他人の保有する物品仕分け設備を借りて利用したい設備利用希望者は、その旨を登録することによって、夫々、設備利用希望者や、あるいは、設備提供者と、物品仕分け設備の貸借について交渉することが可能となり、その交渉の結果、物品仕分け設備を保有する者は、自己が物品仕分け設備を使用しない時間（期間）を対象として他人に使用させることが可能となり、物品仕分け設備の利用効率を向上させることができる。
尚、前記設備提供者募集用閲覧ファイルや前記設備利用者募集用閲覧ファイルは、単一のファイル構成であっても良いし、リンク等で関係付けられた複数のファイルにて構成されるものであっても良い。更に、クライアントコンピュータの具体構成としては、一般的な小型コンピュータの他に、携帯情報端末の機能をも有する携帯電話等も含まれる。
更に又、他人に自己の物品仕分け設備を利用させたい者が提示した貸与条件と、他人の物品仕分け設備を利用したい者が提示した借用条件とのすりあわせ作業を自動的に行わせることができるので、システムの管理負担を低減することができる。
又、他人の物品仕分け設備を利用したい者は、設備利用者募集用閲覧ファイルに記述された物品仕分け設備の貸与条件を自己が希望する物品仕分け設備の借用条件と対比して、適切な貸与条件の物品仕分け設備を選択することができるので、物品仕分け設備利用促進システムを便利に使用できる。
又、入力する前記貸与条件又は前記借用条件が１つに限定されてしまうと、その提示条件と自己の希望条件がかけ離れたものであればそのまま貸借交渉が不成立となってしまう畏れがあるが、上述のように、複数の貸与条件又は複数の借用条件を入力可能とすることで、記述される貸与条件又は借用条件を順次変更可能として、より交渉成立の可能性を高めることができる。
尚、この貸与条件又は借用条件を変更するための規則としては、例えば、一定期間が経過する毎に変更するようにすれば良い。
【０００６】
又、上記請求項２記載の構成を備えることにより、搬入された物品を設定仕分け情報に基づいて複数のグループに仕分ける物品仕分け設備を他人に利用させたい設備提供者の登録を受け付ける旨をＷｅｂ閲覧ソフトにて閲覧可能な形式で記述した設備提供者募集用閲覧ファイル、又は、前記物品仕分け設備の利用を希望する設備利用希望者の登録を受け付ける旨をＷｅｂ閲覧ソフトにて閲覧可能な形式で記述した設備利用者募集用閲覧ファイルの少なくとも一方を記憶すると共に、クライアントコンピュータからの閲覧要求に応じて前記設備提供者募集用閲覧ファイル又は前記設備利用者募集用閲覧ファイルを送信するサーバーコンピュータが設けられ、前記サーバーコンピュータは、Ｗｅｂサーバーとデータベースサーバーとを備えて構成され、前記設備提供者募集用閲覧ファイルは、前記データベースサーバーに登録する前記物品仕分け設備の貸与条件を入力するための貸与条件入力用フォーマットを有するように構成され、且つ、前記設備利用者募集用閲覧ファイルは、前記設備利用希望者が提示する前記データベースサーバーに登録する前記物品仕分け設備の借用条件を入力するための借用条件入力用フォーマットを有するように構成され、前記設備提供者募集用閲覧ファイルの前記貸与条件入力用フォーマット、又は、前記設備利用者募集用閲覧ファイルの前記借用条件入力用フォーマットが、夫々、複数の貸与条件、又は、複数の借用条件を順序を付けた状態で入力可能に構成され、前記設備提供者募集用閲覧ファイルは、前記借用条件入力用フォーマットに入力されて前記サーバーコンピュータに送信された前記借用条件に関する情報が記述されて構成され、前記サーバーコンピュータは、入力された前記貸与条件又は前記借用条件に適合する前記借用条件又は前記貸与条件を夫々検索すると共に、前記複数の貸与条件又は前記複数の借用条件を設定期間経過毎に更新し、その更新に伴って、前記貸与条件又は前記借用条件に適合する前記借用条件又は前記貸与条件を夫々検索するように構成されて物品仕分け設備利用促進システムが構成される。
【０００７】
従って、自己の物品仕分け設備を他人に利用させたい設備提供者や、あるいは、他人の保有する物品仕分け設備を借りて利用したい設備利用希望者は、その旨を登録することによって、夫々、設備利用希望者や、あるいは、設備提供者と、物品仕分け設備の貸借について交渉することが可能となり、その交渉の結果、物品仕分け設備を保有する者は、自己が物品仕分け設備を使用しない時間（期間）を対象として他人に使用させることが可能となり、物品仕分け設備の利用効率を向上させることができる。
尚、前記設備提供者募集用閲覧ファイルや前記設備利用者募集用閲覧ファイルは、単一のファイル構成であっても良いし、リンク等で関係付けられた複数のファイルにて構成されるものであっても良い。更に、クライアントコンピュータの具体構成としては、一般的な小型コンピュータの他に、携帯情報端末の機能をも有する携帯電話等も含まれる。
更に又、他人に自己の物品仕分け設備を利用させたい者が提示した貸与条件と、他人の物品仕分け設備を利用したい者が提示した借用条件とのすりあわせ作業を自動的に行わせることができるので、システムの管理負担を低減することができる。
又、他人に物品仕分け設備を使用させたい者は、設備提供者募集用閲覧ファイルに記述された物品仕分け設備の借用条件を自己の物品仕分け設備の貸与条件と対比して、適切な設備利用希望者を選択することができるので、物品仕分け設備利用促進システムを便利に使用できる。
又、入力する前記貸与条件又は前記借用条件が１つに限定されてしまうと、その提示条件と自己の希望条件がかけ離れたものであればそのまま貸借交渉が不成立となってしまう畏れがあるが、上述のように、複数の貸与条件又は複数の借用条件を入力可能とすることで、記述される貸与条件又は借用条件を順次変更可能として、より交渉成立の可能性を高めることができる。
尚、この貸与条件又は借用条件を変更するための規則としては、例えば、一定期間が経過する毎に変更するようにすれば良い。
【００１０】
又、上記請求項３記載の構成を備えることにより、前記設備利用者募集用閲覧ファイル又は前記設備提供者募集用閲覧ファイルには、夫々、前記貸与条件入力用フォーマットに入力された前記貸与条件の情報から前記設備提供者を特定する情報を除いた情報、又は、前記借用条件入力用フォーマットに入力された前記借用条件の情報から前記設備利用希望者を特定する情報を除いた情報が記述されて構成されている。
【００１１】
すなわち、他人に自己の物品仕分け設備を利用させたい者又は他人の物品仕分け設備の利用を希望する者は、物品仕分け設備の貸借交渉がある程度具体化するまでは、自分がどのような貸与条件を提示しているか又は自分がどのような借用条件を提示しているかを知られたくない場合がある。
そこで、前記設備利用者募集用閲覧ファイルに記述された貸与条件に関する情報又は前記設備提供者募集用閲覧ファイルに記述された借用条件に関する情報からは、設備提供者又は設備利用希望者が特定されないようにすることで上述のような要請に応え、システムを一層利用し易いものとすることができる。
【００１２】
又、上記請求項４記載の構成を備えることにより、前記サーバーコンピュータに、前記設備利用者募集用閲覧ファイルに前記貸与条件に関する情報が記述される前記設備提供者を特定する情報のリストを前記貸与条件に関する情報との対応を付けないで記述し且つ記述された設備提供者の何れかを選択入力するフォーマットを記述した設備提供者リストファイル、又は、前記設備提供者募集用閲覧ファイルに前記借用条件に関する情報が記述される前記設備利用希望者を特定する情報のリストを前記借用条件に関する情報と対応を付けないで記述し且つ記述された設備利用希望者の何れかを選択入力するフォーマットを記述した設備利用希望者リストファイルが作成され、前記サーバーコンピュータは、クライアントコンピュータからの閲覧要求に応じて、前記設備提供者リストファイル又は前記設備利用希望者リストファイルを送信するように構成されている。
【００１３】
すなわち、設備利用希望者又は設備提供者の中には、競業関係にある等の理由により、特定の事業者に対しては設備の貸借交渉を行いたくない場合があると考えられる。
このような場合に、クライアントコンピュータから前記設備提供者リストファイル又は前記設備利用希望者リストファイルを閲覧し、記述されている設備提供者又は設備利用希望者の中から貸借交渉の候補としても良い者を選択するか、あるいは、貸借交渉の候補から排除したい者を選択する形式によって、貸借交渉を排除したい者を特定することが可能となり、システムを一層便利なものとすることができる。
【００１４】
この場合でも、前記設備提供者リストファイル又は前記設備利用希望者リストファイルに記述された例えば事業者名等の情報と、前記設備利用者募集用閲覧ファイルに記述された前記貸与条件に関する情報又は前記設備提供者募集用閲覧ファイルに記述された前記借用条件に関する情報との対応関係は付けていないので、自分がどのような貸与条件を提示しているか又は自分がどのような借用条件を提示しているかを知られずにすむ。
尚、前記設備提供者リストファイル又は前記設備利用希望者リストファイルと、前記設備利用者募集用閲覧ファイル又は前記設備提供者募集用閲覧ファイルとは、夫々独立したファイルにて構成しても良いし、逆に、一つのファイルに、前記設備利用者募集用閲覧ファイル及び前記設備提供者リストファイルに記述するべき内容を記述するか、又は、前記設備提供者募集用閲覧ファイル及び前記設備利用希望者リストファイルに記述すべき内容を記述して、二つのファイルの機能を兼用させても良い。
【００２０】
【発明の実施の形態】
以下、本発明の実施の形態を図面に基づいて説明する。
（物品仕分け設備）
搬入された物品を設定仕分け情報に基づいて複数のグループに仕分ける物品仕分け設備としては種々の形態のものが存在するが、その１例を図９に例示する。平面視による概略配置を示す図９のように、物品仕分け設備ＳＳは、仕分けの対象となる物品Ｌを搬入する搬入用ベルトコンベア５０と、スラットコンベア５１と、スラットコンベア５１から分岐する複数の分岐コンベア５２とが備えられて構成されており、搬入用ベルトコンベア５０から搬入された多数の物品Ｌが、設定仕分け情報に基づいて、同一のグループに属する物品Ｌが同一の分岐コンベア５２に分岐されるようにスラットコンベア５１が動作する。
【００２１】
スラットコンベア５１は、分岐箇所を抜き出して示す図１０のように、搬送横幅方向に延びる短冊状のスラット５１ａを多数連結してベルト状に形成した搬送体を、図示を省略する電動モータにて巻回駆動することにより、物品Ｌを搬送する。
スラットコンベア５１のスラット５１ａは、搬送横幅方向に移動自在に押圧シュー５１ｂを支持しており、押圧シュー５１ｂは、分岐コンベア５２への分岐箇所に配置された移動機構によりスラット５１ａの長手方向（すなわち搬送横幅方向）に移動駆動される。
【００２２】
押圧シュー５１ｂによる物品Ｌの分岐操作を概略的に説明すると、押圧シュー５１ｂは、通常、スラット５１ａの一端側に寄せられて、搬送される物品Ｌの側脇に位置している。そして、図１０において「Ａ」で示す物品Ｌのように、その物品Ｌが分岐コンベア５２へ分岐されないものであるときは、その存在位置を維持するが、図１０において「Ｂ」で示す物品Ｌのように、その物品Ｌが分岐コンベア５２に分岐されるべきものであるときは、図示しない移動機構により、押圧シュー５１ｂが分岐コンベア５２側に移動駆動されて、物品Ｌを分岐コンベア５２へ押し出し、物品Ｌが仕分けられる。
【００２３】
（システム構成）
本実施の形態の物品仕分け設備利用促進システムでは、上述のような物品仕分け設備ＳＳを保有しており、その物品仕分け設備ＳＳを他人に利用させたい設備提供者と、他人の保有する物品仕分け設備ＳＳの利用を希望する設備利用希望設備者とをインターネットを利用して結びつける役割を果たす。
物品仕分け設備利用促進システムは、図１に概略的に示すように、物品仕分け設備利用促進システムのシステム運用者が保有するインターネット接続されたサーバーコンピュータ１にて構成される。
【００２４】
サーバーコンピュータ１は、Ｗｅｂサーバー１ａとデータベースサーバー１ｂとから構成されている。
Ｗｅｂサーバー１ａは、物品仕分け設備ＳＳを他人に利用させたい者（以下、「設備提供者」と略称する）の登録を受け付ける旨を記述した設備提供者募集用閲覧ファイルと、物品仕分け設備ＳＳの利用を希望する者（以下、「設備利用希望者」と略称する）の登録を受け付ける旨を記述した設備利用者募集用閲覧ファイルとを記憶すると共に、インターネットに接続されたクライアントコンピュータ２からの閲覧要求に応じて設備提供者募集用閲覧ファイル又は設備利用者募集用閲覧ファイルを送信する。
【００２５】
設備提供者募集用閲覧ファイル及び設備利用者募集用閲覧ファイルは、夫々複数のファイルの集合として構成されており、各ファイルは、クライアントコンピュータ２にインストールされているＷｅｂ閲覧ソフトにて閲覧可能なＨＴＭＬ形式やスクリプトを実行するＣＧＩ形式その他の形式で記述されている。
（設備提供者募集用閲覧ファイルの説明）
先ず、設備提供者募集用閲覧ファイルの構成について説明する。
設備提供者募集用閲覧ファイルは、クライアントコンピュータ２がサーバーコンピュータ１の物品仕分け設備利用促進システムにアクセスしたときの初期画面を構成する初期表示ファイルと、後述のようにして設備利用者募集用閲覧ファイルを利用してデータベースサーバー１ｂに登録されている設備利用希望者の借用条件を検索するために、設備提供者の貸与条件を入力するための設備提供者用検索条件入力ファイルと、その検索結果の借用条件に関する情報のリストを表示するための設備提供者用検索結果表示ファイルと、データベースサーバー１ｂに設備提供者として登録するための設備提供者登録ファイルとを主たる構成要素としている。
【００２６】
前記初期表示ファイルには、設備提供者の登録を受け付ける旨と設備利用希望者の登録を受け付ける旨とを主な内容とする物品仕分け設備利用促進システムについての説明が記述されている他、「設備提供者」であるかあるいは「設備利用希望者」であるかを、クライアントコンピュータ２のモニタ画面上に表示された状態でマウス等で選択指示するためのボタンアイコンが記述されている。
「設備提供者」を示すボタンアイコンのリンク先のファイルは、データベースサーバー１ｂにアクセスして「設備利用希望者」が登録されているか否かを読取り、登録データが存在すれば前記設備提供者用検索条件入力ファイルに移動し、且つ、登録データが存在しなければ前記設備提供者登録ファイルに移動するように指示する処理を実行する。
【００２７】
前記設備提供者用検索条件入力ファイルは、Ｗｅｂ閲覧ソフトで表示した状態を示す図２のように、自分が保有する物品仕分け設備ＳＳの貸与条件を検索条件として入力するための貸与条件入力用フォーマットを有すると共に、データベースサーバー１ｂに設備利用希望者として登録されている者を検索する処理を実行してその結果を利用希望者リスト２０として表示するように記述され、更に、図示を省略するが、貸与条件入力用フォーマット等への入力の仕方の説明も記述されている。
【００２８】
貸与条件入力用フォーマットは、物品仕分け設備ＳＳの所在地を入力するための設備の所在地入力欄１１と、物品仕分け設備ＳＳの貸与が可能な時間（又は、期間）を入力するための利用可能時間（期間）入力欄１２と、物品仕分け設備ＳＳの仕分け処理能力を入力するための処理能力入力欄１３と、物品仕分け設備ＳＳで取り扱うことのできる物品Ｌの大きさや重量の条件を入力するための荷物の条件入力欄１４と、搬入した物品Ｌを仕分けるグループの最大数を入力するための仕分け数入力欄１５と、物品Ｌに付されたバーコードを物品仕分け設備ＳＳ側で読み取るために必要となる条件を入力するＢＣＲ条件入力欄１６と、物品仕分け設備ＳＳのみの貸与のみならず設備のオペレータ等の手配をも含む仕分け作業の全体を一括して受注することの可否をラジオボタンにて選択入力するための仕分け作業一括受け入れ入力欄１７と、設備提供の希望料金を入力するための料金入力欄１８とを有する。
すなわち、前記設備提供者募集用閲覧ファイルは、前記物品仕分け設備ＳＳの貸与のみが可能か、又は、仕分け作業を一括して受注可能かを選択入力可能なフォーマットを記述されて構成されている。
【００２９】
利用希望者リスト２０は、設備利用希望者を特定する情報として設備利用希望者名を表示すると共に、表示した設備利用希望者を検索対象から外すか否かを選択するためのチェックボックス２０ａを表示する。
すなわち、この設備提供者用検索条件入力ファイルは、後述の設備提供者用検索結果表示ファイルに前記借用条件に関する情報が記述される設備利用希望者を特定する情報のリストを前記借用条件に関する情報と対応を付けないで記述し且つ記述された設備利用希望者の何れかを選択入力するフォーマットを記述した設備利用希望者リストファイルとして機能する。
尚、データベースサーバー１ｂに登録されている設備利用希望者の数が設定数（例えば「１」）以下であれば、この設備利用希望者名のリストは表示されないように設定されている。
【００３０】
設備提供者用検索結果表示ファイルは、設備提供者用検索条件入力ファイルによって入力された検索条件に基づいてデータベースサーバー１ｂを検索する処理を実行するように記述されていると共に、その検索結果を表示するように記述されている。
データベースサーバー１ｂに登録されている「設備利用希望者」のデータは、詳しくは後述するが、貸与条件入力用フォーマットの各項目と対応した項目と、前記設備利用希望者名等からなる借用条件のデータである。但し、設備提供者用検索結果表示ファイルでは、この設備利用希望者名の情報は表示されず、借用条件の情報から設備利用希望者を特定する情報を除いた情報を表示する。
設備提供者用検索結果表示ファイルによる検索は、原則として、前記各項目が完全に適合するものを選び出す検索ではなく、入力された検索条件（貸与条件）を設定幅だけ緩和して、それに適合する借用条件を選び出す検索を実行する。
【００３１】
前記設定幅を、検索条件の項目について具体的に説明すると、「設備の所在地」に関しては、例えば同一の都道府県に位置するかどうかというような範囲設定がなされる。「利用可能（時間）期間」に関しては、入力された検索条件に設定時間（期間）を付加した時間（期間）内の借用を希望している借用条件を選び出す。「料金」に関しては、入力された検索条件から設定金額を減額した金額以上での借用を希望している借用条件を選び出す。更に、「処理能力」に関しては、入力された検索条件に設定量を付加した処理能力以下の希望処理能力を提示している借用条件を選び出す。尚、前記設定幅を設定せずに検索条件と完全一致する借用条件を選び出すように設定することも可能である。この他、「荷物の条件」，「仕分け数」及び「ＢＣＲ条件」については、設備に物理的に依存する条件であるので、入力された範囲内の借用条件が選択される。
【００３２】
設備提供者によって入力された検索条件に基づいて、上述のような設定幅を持たせて設定した検索条件に適合する借用条件のデータをデータベースサーバー１ｂにて検索すると共に、設備提供者が検索対象から除外することを希望者した設備利用希望者の借用条件を排除して、該当する借用条件が存在するときは、Ｗｅｂ閲覧ソフトで表示した状態を示す図３のような検索結果が表示される。
【００３３】
図３では、設備提供者が入力した検索条件に近いものとして２つの借用条件が該当した場合を例示しており、入力された借用条件の情報から設備利用希望者を特定する情報（すなわち、本実施の形態では「設備利用希望者名」）を除いた情報が記述されて検索結果表示欄２１に表示されている。検索結果表示欄２１の各借用条件の表示の上端には、各借用条件の夫々と対応付けた状態で、その借用条件についての設備利用希望者が既に他の設備提供者と物品仕分け設備ＳＳの貸借交渉中である場合には、そのことを示す交渉中マーク２１ａが表示される。図３では、＃２の借用条件が既に交渉中であることを例示している。この交渉中マーク２１ａを表示させるために、データベースサーバー１ｂには、貸借交渉中か否かの情報も登録されている。
【００３４】
設備提供者用検索結果表示ファイルは、更に、検索結果の中に設備提供者が物品仕分け設備ＳＳの貸借交渉を開始したい借用条件があれば、その借用条件の番号を入力することによりシステム運用者に連絡するための番号入力欄２２と、前記設備提供者用検索条件入力ファイルへの移動を指示する再検索ボタンアイコン２３と、検索結果の中に貸借交渉を開始したいと思う借用条件が無いときに、前記設備提供者登録ファイルへの移動を指示する新規登録ボタンアイコン２４とを表示するように記述してある。
一方、上記検索の結果、該当する借用条件が存在しないときは、「該当するものが存在しない」旨と、上記再検索ボタンアイコン２３及び新規登録ボタンアイコン２４を表示するように記述してある。
【００３５】
前記設備提供者登録ファイルは、Ｗｅｂ閲覧ソフトに表示された状態を示す図４のように、設備提供者が複数個の貸与条件を入力可能な貸与条件入力用フォーマットを有するように構成され、これら複数の貸与条件は順序を付けた状態でデータベースサーバー１ｂに登録される。
すなわち、本実施の形態では、第１希望〜第４希望の４つの貸与条件を入力可能であり、各貸与条件の項目は、図３に示した検索条件の項目に適用期間入力欄１９を付加したものである。この適用期間入力欄１９は、第１希望〜第４希望の各貸与条件が適用される期間を設定入力するためのものであり、設備提供者は物品仕分け設備ＳＳの貸与条件を登録してからの経過時間によって貸与条件を自動的に変更することができる。尚、第２〜第４希望の貸与条件の入力項目では、入力内容が第１希望と共通する項目を省いてある。
更に、前記設備提供者登録ファイルでは、貸与条件の一部として設備提供者の事業者名を入力するための事業者名入力欄２６と、設備提供者の連絡先を入力するための連絡先入力欄２７とを有する。
【００３６】
（設備提供者募集用閲覧ファイルによる一連の操作の説明）
次に、上述のように構成された設備提供者募集用閲覧ファイルを利用した設備提供者の操作について概略的に説明する。
設備提供者は、自分のクライアントコンピュータ２にインストールされたＷｅｂ閲覧ソフトを操作し、最初に前記初期表示ファイルをダウンロードして表示させる。この初期表示ファイルが表示された状態で、「設備提供者」のボタンアイコンをマウス等により操作することで、設備利用希望者がデータベースサーバー１ｂに登録されていれば、設備提供者用検索条件入力ファイルにより図２に示す検索条件の入力画面が表示される。この画面表示に対して必要な検索条件を入力操作した後、「送信」ボタンアイコンを操作することによって、その検索条件が設備提供者用検索結果表示ファイルに渡されて上述のように検索が実行され、該当するデータが存在すれば図３に示すような検索結果が表示される。
【００３７】
設備提供者は、その検索結果の画面表示を見て、物品仕分け設備ＳＳの貸借交渉を開始しても良いと思う借用条件があれば、番号入力欄２２にそれの番号を入力し、「送信」ボタンアイコンを操作する。この操作によって、その旨がシステム運用者に通知され、更に、その借用条件について貸借交渉中であることを示すデータがデータベースサーバー１ｂに書き込まれる。これによって前記交渉中マーク２１ａの表示が可能となる。
その後、システム運用者は、設備提供者が選択した借用条件を提示した設備利用希望者に連絡し、両者による貸借交渉を促すと共に、その交渉がまとまった旨の連絡を受けたときは、該当する借用条件のデータを削除する。
【００３８】
一方、図３の検索結果の画面表示において、物品仕分け設備ＳＳの貸借交渉を開始したいと思う借用条件がなければ、再検索ボタンアイコン２３を操作することで、それのリンク先の設備提供者用検索条件入力ファイルをダウンロードして、異なる検索条件での借用条件の検索を繰り返すことができる。
このような操作を行っても、物品仕分け設備ＳＳの貸借交渉を開始したいと思える借用条件がデータベースサーバー１ｂに存在しなかったときは、図３に例示する画面表示から新規登録ボタンアイコン２４を操作することで、図４に例示する前記設備提供者登録ファイルによる画面表示がなされ、設備提供者は、この画面表示から必要であれば複数の貸与条件を入力し、「送信」ボタンアイコンを操作することで、自分の提示する貸与条件をデータベースサーバー１ｂに登録することができる。又、そもそもデータベースサーバー１ｂに設備利用希望者が登録されていないときにも、図４に例示する前記設備提供者登録ファイルによる画面表示がなされ、貸与条件を登録することができる。
設備提供者は、複数の貸与条件を入力することで、例えば、貸与条件のデータの登録を行ってからの経過時間が長くなるに従って複数段階に「料金」を下げていく、というような登録の仕方が可能となっている。
【００３９】
（設備利用者募集用閲覧ファイルの説明）
次に、設備利用者募集用閲覧ファイルの構成について説明する。
設備利用者募集用閲覧ファイルは、上述のように設備提供者募集用閲覧ファイルの一部でもある前記初期表示ファイルと、上述ようにして設備提供者募集用閲覧ファイルを利用してデータベースサーバー１ｂに登録されている設備提供者の貸与条件を検索するために、設備利用希望者の借用条件を入力するための設備利用希望者用検索条件入力ファイルと、その検索結果の貸与条件のリストを表示するための設備利用希望者用検索結果表示ファイルと、データベースサーバー１ｂに設備利用希望者として登録するための設備利用希望者登録ファイルとを主たる構成要素としている。
【００４０】
前記初期表示ファイルの「設備利用希望者」を示すボタンアイコンのリンク先のファイルは、データベースサーバー１ｂにアクセスして「設備提供者」が登録されているか否かを読取り、登録データが存在すれば前記設備利用希望者用検索条件入力ファイルに移動し、且つ、登録データが存在しなければ前記設備利用希望者登録ファイルに移動するように指示する処理を実行する。
【００４１】
前記設備利用希望者用検索条件入力ファイルは、前記設備提供者用検索条件入力ファイルに類似するものであり、Ｗｅｂ閲覧ソフトで表示した状態を示す図５のように、借用したい物品仕分け設備ＳＳの借用条件を検索条件として入力するための借用条件入力用フォーマットを有すると共に、データベースサーバー１ｂに設備提供者として登録されている者を検索する処理を実行してその結果を提供者リスト４０として表示するように記述され、更に、図示を省略するが、借用条件入力用フォーマット等への入力の仕方の説明も記述されている。
【００４２】
借用条件入力用フォーマットは、仕分け作業を行いたい場所の希望地を入力するための設備の希望地入力欄３１と、物品仕分け設備ＳＳを借用したい時間（又は、期間）を入力するための利用希望時間（期間）入力欄３２と、どの程度の仕分け処理能力を有する物品仕分け設備ＳＳの借用を希望するかを入力するための希望処理能力入力欄３３と、仕分けをしたい物品Ｌの大きさや重量の条件を入力するための荷物の条件入力欄３４と、仕分けるグループの数を入力するための仕分け数入力欄３５と、物品Ｌに付されたバーコードを物品仕分け設備ＳＳ側で読み取るために必要となる条件を入力するＢＣＲ条件入力欄３６と、物品仕分け設備ＳＳのみの借用のみを希望するか、又は、それのみならず設備のオペレータ等の手配をも含む仕分け作業の全体を一括して依頼するか否かをラジオボタンにて選択入力するための仕分け作業一括依頼入力欄３７と、設備借用の希望料金を入力するための希望料金入力欄３８とを有する。
【００４３】
提供者リスト４０は、設備提供者を特定する情報として設備提供者名を表示すると共に、表示した設備提供者を検索対象から外すか否かを選択するためのチェックボックス４０ａを表示する。
すなわち、この設備利用希望者用検索条件入力ファイルは、後述の設備利用希望者用検索結果表示ファイルに前記貸与条件に関する情報が記述される設備提供者を特定する情報のリストを前記貸与条件に関する情報と対応を付けないで記述し且つ記述された設備提供者の何れかを選択入力するフォーマットを記述した設備提供者リストファイルとして機能する。
尚、設備利用希望者用検索条件入力ファイルにおいても、データベースサーバー１ｂに登録されている設備提供者の数が設定数（例えば「１」）以下であれば、この設備提供者名のリストは表示されないように設定されている。
【００４４】
設備利用希望者用検索結果表示ファイルは、設備利用希望者用検索条件入力ファイルによって入力された検索条件に基づいてデータベースサーバー１ｂを検索する処理を実行するように記述されていると共に、その検索結果を表示するように記述されている。
データベースサーバー１ｂに登録されている「設備提供者」のデータは、詳しくは後述するが、借用条件入力用フォーマットの各項目と対応した項目と、前記設備提供者名等の貸与条件のデータである。但し、設備利用希望者用検索結果表示ファイルでは、この設備提供者名の情報は表示されず、貸与条件の情報から設備提供者を特定する情報を除いた情報を表示する。
設備利用希望者用検索結果表示ファイルによる検索は、原則として、前記各項目が完全に適合するものを選び出す検索ではなく、入力された検索条件（借用条件）を設定幅だけ緩和して、それに適合する貸与条件を選び出す検索を実行する。
【００４５】
前記設定幅を、検索条件の項目について具体的に説明すると、「希望地」に関しては、例えば同一の都道府県に位置するかどうかというような範囲設定がなされる。「利用希望（時間）期間」に関しては、入力された検索条件から設定時間（期間）を短縮した時間（期間）を包含する期間の貸与を希望している貸与条件を選び出す。「料金」に関しては、入力された検索条件から設定金額を増額した金額以内での貸与を希望している貸与条件を選び出す。更に、「希望処理能力」に関しては、入力された検索条件から設定量を差し引いた処理能力以上の処理能力を提示している貸与条件を選び出す。尚、前記設定幅を設定せずに検索条件と完全に適合する貸与条件を選び出すように設定することも可能である。この他、「荷物の条件」，「仕分け数」及び「ＢＣＲ条件」については、設備に物理的に依存する条件であるので、入力された条件をカバーできる貸与条件が選択される。
【００４６】
設備利用希望者によって入力された検索条件に基づいて、上述のような設定幅を持たせて設定した検索条件に適合する貸与条件のデータをデータベースサーバー１ｂにて検索すると共に、設備利用希望者が検索対象から除外することを希望者した設備提供者の貸与条件を排除して、該当する貸与条件が存在するときは、Ｗｅｂ閲覧ソフトで表示した状態を示す図６のような検索結果が表示される。
【００４７】
図６では、設備利用希望者が入力した検索条件に近いものとして２つの貸与条件が該当した場合を例示しており、入力された貸与条件の情報から設備提供者を特定する情報（すなわち、本実施の形態では「設備提供者名」）を除いた情報が記述されて検索結果表示欄４１に表示されている。検索結果表示欄４１の各貸与条件の表示の上端には、各貸与条件の夫々と対応付けた状態で、その貸与条件についての設備提供者が既に他の設備利用希望者と物品仕分け設備ＳＳの貸借交渉中である場合に、そのことを示す交渉中マーク４１ａが表示される。図６では、＃１の貸与条件が既に交渉中であることを例示している。この交渉中マーク４１ａを表示させるために、データベースサーバー１ｂには、貸借交渉中か否かの情報も登録されている。
【００４８】
設備利用希望者用検索結果表示ファイルは、更に、検索結果の中に設備利用希望者が物品仕分け設備ＳＳの貸借交渉を開始したい貸与条件があれば、その貸与条件の番号を入力することによりシステム運用者に連絡するための番号入力欄４２と、前記設備利用希望者用検索条件入力ファイルへの移動を指示する再検索ボタンアイコン４３と、検索結果の中に貸借交渉を開始したいと思う貸与条件が無いときに、前記設備利用希望者登録ファイルへの移動を指示する新規登録ボタンアイコン４４とを表示するように記述してある。
一方、上記検索の結果、該当する貸与条件が存在しないときは、「該当するものが存在しない」旨と、上記再検索ボタンアイコン４３及び新規登録ボタンアイコン４４を表示するように記述してある。
【００４９】
前記設備利用希望者登録ファイルは、Ｗｅｂ閲覧ソフトに表示された状態を示す図７のように、設備利用希望者が複数個の借用条件を入力可能な借用条件入力用フォーマットを有するように構成され、これら複数の借用条件は順序を付けた状態でデータベースサーバー１ｂに登録される。
すなわち、本実施の形態では、第１希望〜第４希望の４つの借用条件を入力可能であり、各借用条件の項目は、図５に示した検索条件の項目に適用期間入力欄３９を付加したものである。この適用期間入力欄３９は、第１希望〜第４希望の借用条件が適用される期間を設定入力するためのものであり、設備利用希望者は物品仕分け設備ＳＳの借用条件を登録してからの経過時間によって借用条件を自動的に変更することができる。尚、第２〜第４希望の借用条件の入力項目では、入力内容が第１希望と共通する項目を省いてある。
更に、前記設備利用希望者登録ファイルでは、借用条件の一部として設備利用希望者の事業者名を入力するための事業者名入力欄４６と、設備利用希望者の連絡先を入力するための連絡先入力欄４７とを有する。
【００５０】
（設備利用希望者募集用閲覧ファイルによる一連の操作の説明）
次に、上述のように構成された設備利用希望者募集用閲覧ファイルを利用した設備利用希望者の操作について概略的に説明する。
設備利用希望者は、自分のクライアントコンピュータ２にインストールされたＷｅｂ閲覧ソフトを操作し、最初に前記初期表示ファイルをダウンロードして表示させる。この初期表示ファイルが表示された状態で、「設備利用希望者」のボタンアイコンをマウス等により操作することで、設備提供者がデータベースサーバー１ｂに登録されていれば、設備利用希望者用検索条件入力ファイルにより図５に示す検索条件の入力画面が表示される。この画面表示に対して必要な検索条件を入力操作した後、「送信」ボタンアイコンを操作することによって、その検索条件が設備利用希望者用検索結果表示ファイルに渡されて上述のように検索が実行され、該当するデータが存在すれば図６に示すような検索結果が表示される。
【００５１】
設備利用希望者は、その検索結果の画面表示を見て、物品仕分け設備ＳＳの貸借交渉を開始しても良いと思う貸与条件があれば、番号入力欄４２にそれの番号を入力し、「送信」ボタンアイコンを操作する。この操作によって、その旨がシステム運用者に通知され、更に、その貸与条件について貸借交渉中であることを示すデータがデータベースサーバー１ｂに書き込まれる。これによって前記交渉中マーク４１ａの表示が可能となる。
その後、システム運用者は、設備利用希望者が選択した貸与条件を提示した設備提供者に連絡し、両者による貸借交渉を促すと共に、その交渉がまとまった旨の連絡を受けたときは、該当する貸与条件のデータを削除する。
【００５２】
一方、図６の検索結果の画面表示において、物品仕分け設備ＳＳの貸借交渉を開始したいと思う貸与条件がなければ、再検索ボタンアイコン４３を操作することで、それのリンク先の設備利用希望者用検索条件入力ファイルをダウンロードして、異なる検索条件での貸与条件の検索を繰り返すことができる。
このような操作を行っても、物品仕分け設備ＳＳの貸借交渉を開始したいと思える貸与条件がデータベースサーバー１ｂに存在しなかったときは、図６に例示する画面表示から新規登録ボタンアイコン４４を操作することで、図７に例示する前記設備利用希望者登録ファイルによる画面表示がなされ、設備利用希望者は、この画面表示から必要であれば複数の借用条件を入力し、「送信」ボタンアイコンを操作することで、自分の提示する借用条件をデータベースサーバー１ｂに登録することができる。又、そもそもデータベースサーバー１ｂに設備提供者が登録されていないときにも、図７に例示する前記設備利用希望者登録ファイルによる画面表示がなされ、借用条件を登録することができる。
設備利用希望者は、複数の借用条件を入力することで、例えば、借用条件のデータの登録を行ってからの経過時間が長くなるに従って複数段階に「希望料金」を上げていく、というような登録の仕方が可能となっている。
【００５３】
（データベースサーバーでの管理処理）
上述のようにして、データベースサーバー１ｂに設備提供者が提示する貸与条件情報及び設備利用希望者が提示する借用条件が登録されている状態で、データベースサーバー１ｂでは、図８のフローチャートに示す管理処理が実行される。図８のフローチャートに示す処理は定期的に実行され、先ず、各貸与条件及び借用条件のうちの「適用期間」を記憶するレコードエリアを読取り（ステップ＃１）、その貸与条件又は借用条件を更新するべき時期にきていれば（ステップ＃２）、第１希望の貸与条件又は借用条件を記憶しているレコードエリアのデータを、第２希望〜第４希望の貸与条件又は借用条件のうちのその時点において適用すべき貸与条件又は借用条件によって更新する（ステップ＃３）。すなわち、サーバーコンピュータ１は、前記設備提供者募集用閲覧ファイルに記述される借用条件又は前記設備利用者募集用閲覧ファイルに記述される貸与条件を、夫々、前記複数の借用条件又は前記複数の貸与条件によって、それらに付けられた順序に従う状態で設定期間が経過する度に更新するように構成されている。
【００５４】
この更新によって、新たに適合する貸与条件と借用条件とが発生する場合があるので、データが更新されたのが貸与条件であれば、その更新後のデータについて前記設備提供者用検索結果表示ファイルにおける検索と同様の検索を実行し、データ更新されたのが借用条件であれば、その更新後のデータについて前記設備利用希望者用検索結果表示ファイルにおける検索と同様の検索を実行する（ステップ＃４）。すなわち、前記設備提供者用検索結果表示ファイル及び前記設備利用希望者用検索結果表示ファイルにおける検索は、データベースサーバー１ｂの第１希望の貸与条件又は借用条件のレコードエリアを検索の対象としている。
【００５５】
この検索の結果、適合する貸与条件と借用条件とのペアがあれば（ステップ＃５）、その旨をシステム運用者に通知する（ステップ＃６）。
データが更新された全ての貸与条件又は借用条件について上記の処理が終了すると（ステップ＃７）、この管理処理は終了する。
新たに適合するペアが発生した旨の通知を受けたシステム運用者は、この貸与条件を提示した設備提供者と借用条件を提示した設備利用希望者とに連絡して、物品仕分け設備ＳＳの貸借交渉を促し、両者から貸借交渉を開始する旨の連絡を受けたら、その貸与条件及び借用条件について貸借交渉中であることを示すデータをデータベースサーバー１ｂに書き込む操作をする。これによって前記交渉中マーク２１ａ，４１ａの表示が可能となる。
その後、システム運用者は、その貸借交渉がまとまった旨の連絡を受けたときは、該当する貸与条件及び借用条件のデータを削除する。
【００５６】
（交渉成立後の取り扱い）
本実施の形態の物品仕分け設備利用促進システムを利用する設備提供者のうちの一部については、システム運用者がその設備提供者の保有する物品仕分け設備ＳＳの製造者であり、システム運用者の有するコンピュータ４８とその物品仕分け設備ＳＳとが公衆回線を経由して通信可能に構成されている。
システム運用者のコンピュータ４８は、物品仕分け設備ＳＳの制御装置４９にアクセスして、それの制御プログラムを変更操作を実行可能に構成されている。従って、物品仕分け設備ＳＳの貸借交渉が成立したときに、その設備提供者が貸与する物品仕分け設備ＳＳが上記のようにコンピュータ４８と接続可能なものであり、且つ、物品仕分け設備ＳＳの貸与に伴ってそれの制御プログラムの変更が必要であれば、システム運用者すなわちサーバーコンピュータ１の運用者は、コンピュータ４８を操作して、遠隔操作によって物品仕分け設備ＳＳの制御プログラムを書き替えることができる。
【００５７】
〔別実施形態〕
以下、本発明の別実施形態を列記する。
▲１▼  上記実施の形態では、設備提供者は、設備提供者募集用閲覧ファイルを利用して、既登録の借用条件の検索と自分が提示する貸与条件の登録との双方が可能であり、又、設備利用希望者は、設備利用者募集用閲覧ファイルを利用して、既登録の貸与条件の検索と自分が提示する借用条件の登録との双方が可能であるが、前記設備提供者募集用閲覧ファイルは設備提供者の貸与条件の登録のみ可能とし、前記設備利用者募集用閲覧ファイルは既登録の貸与条件の検索のみ可能としても良い。
更に、前記設備提供者募集用閲覧ファイルは設けずに、設備提供者の募集はインターネットにはよらず他のメディア等にて募集してデータベースサーバー１ｂに登録するものとし、前記設備利用者募集用閲覧ファイルは既登録の貸与条件の検索のみ可能としても良い。
【００５８】
▲２▼  上記実施の形態では、設備提供者は、設備提供者募集用閲覧ファイルを利用して、既登録の借用条件の検索と自分が提示する貸与条件の登録との双方が可能であり、又、設備利用希望者は、設備利用者募集用閲覧ファイルを利用して、既登録の貸与条件の検索と自分が提示する借用条件の登録との双方が可能であるが、前記設備提供者募集用閲覧ファイルは既登録の借用条件の検索のみ可能とし、前記設備利用者募集用閲覧ファイルは設備利用希望者の借用条件の登録のみを可能としても良い。
更に、前記設備利用者募集用閲覧ファイルは設けずに、設備利用希望者の募集はインターネットにはよらず他のメディア等にて募集してデータベースサーバー１ｂに登録するものとし、前記設備提供者募集用閲覧ファイルは既登録の借用条件の検索のみ可能としても良い。
【００５９】
▲３▼  上記実施の形態では、前記設備提供者募集用閲覧ファイルは、設備提供者が貸与条件を入力して、その貸与条件に適合する既登録借用条件を検索するように構成されているが、このような検索は行わずに、前記設備提供者募集用閲覧ファイルの一部として、既登録の借用条件を全て表示するように記述した表示用のファイルを備える構成としても良い。
又、同様に、前記設備利用者募集用閲覧ファイルについても、入力された借用条件に適合する既登録の貸与条件の検索は行わずに、前記設備利用者募集用閲覧ファイルの一部として、既登録の貸与条件を全て表示するように記述した表示用のファイルを備える構成としても良い。
▲４▼  上記実施の形態では、物品仕分け設備ＳＳの機能として、物品Ｌの仕分け作業のみを行わせるものを例示しているが、仕分け作業後の物品を一時的に保管する保管棚を備えて構成される物品仕分け設備ＳＳにも、もちろん本発明を適用できる。
【図面の簡単な説明】
【図１】本発明の実施の形態にかかる概略システム構成図
【図２】本発明の実施の形態にかかる表示状態の説明図
【図３】本発明の実施の形態にかかる表示状態の説明図
【図４】本発明の実施の形態にかかる表示状態の説明図
【図５】本発明の実施の形態にかかる表示状態の説明図
【図６】本発明の実施の形態にかかる表示状態の説明図
【図７】本発明の実施の形態にかかる表示状態の説明図
【図８】本発明の実施の形態にかかるフローチャート
【図９】本発明の実施の形態にかかる物品仕分け設備の例示図
【図１０】本発明の実施の形態にかかる物品仕分け設備の要部拡大図
【符号の説明】
１              サーバーコンピュータ
２              クライアントコンピュータ
ＳＳ            物品仕分け設備
２１ａ，４１ａ  交渉中マーク
【図１】
0004264201.tif 000002
【図２】
0004264201.tif 000003
【図３】
0004264201.tif 000004
【図４】
0004264201.tif 000005
【図５】
0004264201.tif 000006
【図６】
0004264201.tif 000007
【図７】
0004264201.tif 000008
【図８】
0004264201.tif 000009
【図９】
0004264201.tif 000010
【図１０】
0004264201.tif 000011